(57)【要約】【課題】簡単に分解（取外し）可能なペイントローラを提供する。【解決手段】塗布ロールと、ハンドルを一方の端部（Ｅ１）に有し、前記塗布ロールを回転可能に接続可能なエンド部位（２）を他方の端部（Ｅ２）に有するブラケット（１）と、を備える、ペイントローラにおいて、前記ブラケット（１）と前記塗布ロールとの接続及び切離しを可能にするプッシュ−プッシュ機構を設けたことを特徴とするペイントローラ。  前記プッシュ−プッシュ機構は、前記ブラケット（１）を前記エンド部位（２）の延在方向に平行な押圧方向に押圧することによって接続及び切離しが達成されるように実現されているのが好ましい。【選択図】図１
2016513580.tif 000002
【特許請求の範囲】
【請求項１】
塗布ロールと、
ハンドルを一方の端部（Ｅ１）に有し、前記塗布ロールを回転可能に接続可能なエンド部位（２）を他方の端部（Ｅ２）に有するブラケット（１）と、
を備える、ペイントローラにおいて、
前記ブラケット（１）と前記塗布ロールとの接続及び切離しを可能にするプッシュ−プッシュ機構を設けたことを特徴とする、ペイントローラ。
【請求項２】
請求項１に記載のペイントローラにおいて、前記プッシュ−プッシュ機構は、前記ブラケット（１）を前記エンド部位（２）の延在方向に平行な押圧方向に押圧することによって接続及び切離しが達成されるように実現されている、ペイントローラ。
【請求項３】
請求項１または２に記載のペイントローラにおいて、前記エンド部位（２）に、スナップエレメント（７，２８，３９，４５）が設けられ、前記塗布ロールの塗布ロール筒体（３，４４）の第１の端部（Ｅ３）に、前記スナップエレメント（７，２８，３９，４５）に対応するカウンタースナップエレメント（１７，３２，４３，５１）が設けられ、
前記スナップエレメント（７，２８，３９，４５）を前記カウンタースナップエレメント（１７，３２，４３，５１）の方向に動かすと前記スナップエレメント（７，２８，３９，４５）および前記カウンタースナップエレメント（１７，３２，４３，５１）を押し離す弾性力を生成する、ばね手段が設けられ、
前記スナップエレメント（７，２８，３９，４５）を弾性力に抗して前記カウンタースナップエレメント（１７，３２，４３，５１）の方向に押圧すると前記スナップエレメント（７，２８，３９，４５）が前記カウンタースナップエレメント（１７，３２，４３，５１）と係合し、前記スナップエレメント（７，２８，３９，４５）を弾性力に抗して前記カウンタースナップエレメント（１７，３２，４３，５１）の方向に引き続き押圧すると前記スナップエレメント（７，２８，３９，４５）が前記カウンタースナップエレメント（１７，３２，４３，５１）から離脱して前記塗布ロールを前記ブラケット（１）から切り離すことが可能となるように、前記ばね手段、前記スナップエレメント（７，２８，３９，４５）および前記カウンタースナップエレメント（１７，３２，４３，５１）が協働する、ペイントローラ。
【請求項４】
請求項３に記載のペイントローラにおいて、前記スナップエレメント（７）が、前記ブラケット（１）上において、前記スナップエレメント（７，２８，３９，４５）の軸方向移動を制限する第１および第２のストッパ（６，１２，２６，３７，４６）間で回転可能に支持される、ペイントローラ。
【請求項５】
請求項３または４に記載のペイントローラにおいて、前記ばね手段によって前記スナップエレメント（７，２８，３９，４５）および前記カウンタースナップエレメント（１７，３２，４３，５１）に加えられる弾性力が、前記スナップエレメント（７，２８，３９，４５）を前記カウンタースナップエレメント（１７，３２，４３，５１）に対する係合位置に保持する、ペイントローラ。
【請求項６】
請求項３から５のいずれか一項に記載のペイントローラにおいて、前記スナップエレメント（７，２８，３９，４５）および前記カウンタースナップエレメント（１７，３２，４３，５１）は、前記スナップエレメント（７，２８，３９，４５）および前記カウンタースナップエレメント（１７，３２，４３，５１）が係合状態では互いに対して回転できないように形成されている、ペイントローラ。
【請求項７】
請求項３から６のいずれか一項に記載のペイントローラにおいて、スリーブ（１２）には、その表面に複数の凹所（１２ａ）が設けられており、前記スナップエレメント（７）には、前記スナップエレメント（７）が前記スリーブ（１２）の周りで回転されると前記凹所（１２ａ）に係合及び離脱する弾性タング体（１０）が設けられている、ペイントローラ。
【請求項８】
請求項３から７のいずれか一項に記載のペイントローラにおいて、前記カウンタースナップエレメント（１７）が、前記塗布ロール筒体（３）の第１の端部（Ｅ３）内に挿入される第１のエンドピース（４）の一部である、ペイントローラ。
【請求項９】
請求項１または２に記載のペイントローラにおいて、前記エンド部位（２）に、第１のカム筒（６０）と第２のカム筒（６２）とを含むスナップ構造体が設けられ、前記第１のカム筒（６０）および前記第２のカム筒（６２）は前記ブラケット（１）において回転可能に支持され、
前記第１のカム筒（６０）は、その第１の端面に、複数の第１のカム（６６）を有しており、
前記第１のカム筒（６０）は、前記ブラケット（１）上において、前記第１のカム筒（６０）の軸方向移動を制限する２つのストッパ（６，１２，２６，３７，４６）間で支持され、
前記第２のカム筒（６２）は、前記第１のカム筒（６０）に回転可能に係合し、
前記第２のカム筒（６２）は、第２の端面に、前記第１のカム（６６）と係合可能な複数の第２のカム（６９）を有しており、前記第２のカム（６９）は、係止位置および非係止位置において、前記第１のカム（６６）に対して回転可能であり、
非係止位置では、それらカム（６６，６９）間に、前記塗布ロール筒体（３，４４）の内面（７３）に設けられた軸方向に延びるタング（７４）に対応する軸方向溝（６７，７２）が形成されることにより、非係止位置において、前記スナップ構造体を前記塗布ロール筒体（３）内に挿入することが可能となり、
前記塗布ロール筒体（３）に、第３のストッパ（２６）が設けられ、
前記スナップ構造体を前記第３のストッパ（２６）に動かし当てると前記第２のカム（６９）を前記第１のカム（６６）に押し付ける弾性力を生成する、ばね手段（１３）が設けられる、ペイントローラ。
【請求項１０】
請求項９に記載のペイントローラにおいて、前記第２のカム筒（６２）が前記ばね手段によって前記第１のカム筒（６０）に押し付けられると共に前記第２のカム筒（６２）が前記タング（７４）との係合から外れた際に前記第２のカム筒（６２）が係止位置へと回転するように、前記第１のカム（６６）が第１の傾斜面（６８）を有し且つ前記第２のカム（６９）が対応する第２の傾斜面（７０）を有している、ペイントローラ。
【請求項１１】
請求項９または１０に記載のペイントローラにおいて、前記内面（７３）、前記タング（７４）および前記第３のストッパ（２６）が、前記塗布ロール筒体（３）の第１の端部（Ｅ３）内に挿入される第３のエンドピース（６５）の一部である、ペイントローラ。
【請求項１２】
請求項１から１１のいずれか一項に記載のペイントローラにおいて、第１のストッパ（６）が、前記ブラケット（１）に形成された径方向突起である、ペイントローラ。
【請求項１３】
請求項１から１２のいずれか一項に記載のペイントローラにおいて、第２のストッパが、前記ブラケット（１）に固定されるスリーブ（１２，４０，４６）で構成される、ペイントローラ。
【請求項１４】
請求項１から１３のいずれか一項に記載のペイントローラにおいて、前記ばね手段が、前記ブラケット（１）で支持される、ペイントローラ。
【請求項１５】
請求項１から１４のいずれか一項に記載のペイントローラにおいて、前記ばね手段が、圧縮ばね（１３）である、ペイントローラ。
【請求項１６】
請求項１から１５のいずれか一項に記載のペイントローラにおいて、第２のエンドピース（５）が、前記塗布ロール筒体（３）の第２の端部（Ｅ４）内に挿入される、ペイントローラ。
【請求項１７】
請求項１から１６のいずれか一項に記載のペイントローラにおいて、前記第２のエンドピース（５）に、貫通孔（Ｈ２）を密封するエンドキャップ（２３）が設けられる、ペイントローラ。
【請求項１８】
請求項１から１７のいずれか一項に記載のペイントローラにおいて、前記第１のエンドピース（４）と前記第２のエンドピース（５）とは、同一に構成されている、ペイントローラ。
【請求項１９】
請求項１または２に記載のペイントローラにおいて、前記プッシュ−プッシュ機構が、さらに、前記エンド部位（２）に設けられるスナップエレメント（７８）および前記スナップエレメント（７８）と係合するカウンタースナップエレメント（８３）を、前記ブラケット（１）を押圧方向に押圧すると前記スナップエレメント（７８）が前記カウンタースナップエレメント（８３）に対して第１の軸方向位置から第２の軸方向位置へと又は第２の軸方向位置から第１の軸方向位置へと軸方向移動されるように含み、
前記プッシュ−プッシュ機構が、さらに、クランピング装置を含み、
前記クランピング装置は、前記スナップエレメント（７８）の位置に依存して半径が変化するように前記スナップエレメント（７８）によって作動されるクランピングエレメント（８８）を有する、ペイントローラ。
【請求項２０】
請求項１９に記載のペイントローラにおいて、前記スナップエレメント（７８）が、前記エンド部位（２）上において回転可能に保持される、ペイントローラ。
【請求項２１】
請求項１９または２０に記載のペイントローラにおいて、前記カウンタースナップエレメント（８３）が、エンドキャップ（８７）を有し、前記エンドキャップ（８７）と前記スナップエレメント（７８）の自由端部に設けられる作動エレメント（８０）との間に、圧縮ばね（８９）が設けられる、ペイントローラ。
【請求項２２】
請求項１９から２１のいずれか一項に記載のペイントローラにおいて、前記クランピングエレメントが、前記エンドキャップ（８７）から延設されて前記作動エレメント（８０）を取り囲む可撓性のホース（８８）であり、前記作動エレメント（８０）は、前記作動エレメント（８０）の位置に依存して前記可撓性のホース（８８）の半径が変化する円錐形状を有している、ペイントローラ。
【請求項２３】
請求項１９から２２のいずれか一項に記載のペイントローラにおいて、前記クランピングエレメント（８８）の、前記作動エレメント（８０）の第１の位置に対応した第１の外半径が、塗布ロール筒体（９０）の内半径よりも小さく、前記クランピングエレメント（８８）の、前記作動エレメント（８０）の第２の位置に対応した第２の外半径が、前記塗布ロール筒体（９０）の前記内半径よりも大きい、ペイントローラ。
【発明の詳細な説明】
【技術分野】
【０００１】
本発明は、表面、特に、壁、天井等の平坦面に、塗料を塗布するペイントローラに関する。
【背景技術】
【０００２】
特許文献１には、請求項１の前提部に記載された構成を備えるペイントローラが開示されている。
【０００３】
特許文献２には、別のペイントローラが開示されている。同文献のペイントローラは、ハンドルを一方の端部に有するブラケットを備えている。このブラケットの他方の端部は、前記ハンドルの方向と直交するようにして延びており、そこには塗布ロールが回転可能に保持される。この塗布ロールを回転可能に支持するための軸受は、スリーブを含む。このスリーブは、前記塗布ロール内側に設けられた筒体内で回転可能に保持される。そのスリーブ内に前記ブラケットの他方の端部が挿入されて、この他方の端部が摩擦力で保持される。
【０００４】
特許文献３には、ペイントローラであって、ブラケット（すなわち、スピンドル）の他方の端部が保持キャップによって固定されたペイントローラが開示されている。この保持キャップは、前記スピンドルの自由端部に取り付けられる。
【０００５】
これらの公知のペイントローラには、ブラケットと塗布ロールとの取外し（分解）が不便であるという短所がある。具体的に述べると、ブラケットから塗布ロールを取り外すには、片手で塗布ロールを握って、反対側の手でブラケットを軸方向に引っ張る必要がある。そのため、片手又は両手が塗料で汚れてしまう。
【０００６】
また、従来のペイントローラに塗料を付着させる場合、塗布ロールの一部が塗料に浸かるまで当該塗布ロールをグリッドに沿って塗料の液面に向かって進ませる。塗布ロールの表面全体にほぼ同量の塗料を均一に付着させるために、この作業を何回か繰り返す。しかし、一部に塗料を付着させたばかりで塗布ロールをグリッドから持ち上げると、塗布ロールのうちの塗料の付着した部分が床に向く位置へと塗布ロールが重力に従って勝手に回転してしまう。これは、塗布ロールに塗料を均一に覆わせるうえで厄介である。
【先行技術文献】
【特許文献】
【０００７】
【特許文献１】欧州特許出願公開第０６７２４６３号明細書
【特許文献２】西独国特許出願公開第３４１０４６８号明細書
【特許文献３】米国特許第３１０２３２７号明細書
【発明の概要】
【発明が解決しようとする課題】
【０００８】
本発明の目的は、当該技術分野の短所を解消することである。具体的に述べると、本発明の目的は、簡単に分解（取外し）可能なペイントローラを提供することである。本発明のさらなる目的は、塗布ロールに塗料を均一に付着させ易くすることである。
【課題を解決するための手段】
【０００９】
上記の目的は、請求項１の構成によって達成される。本発明の実施形態は、請求項２〜１７の構成によって示される。
【００１０】
本発明では、ブラケットと塗布ロールとの接続及び切離しを可能にするプッシュ−プッシュ機構を設けることを提案する。
【００１１】
プッシュ−プッシュ機構は、従来から例えばボールペン等の分野で知られている。上記提案のようにプッシュ−プッシュ機構を設ける構成には、塗布ロールの自由先端面を地面に置き、ブラケットをその地面の方向に押圧するだけで、プッシュ−プッシュ機構のロックが解除され、これによって塗布ロールをブラケットから切り離せるという利点がある。このようにして、ブラケットを塗布ロールから抜き取ることができる。換言すると、好ましくは、前記プッシュ−プッシュ機構は、前記ブラケットをそのエンド部位の延在方向に平行な押圧方向に押圧することによって接続及び切離しが達成されるように実現されている。この押圧方向とは、前記ペイントローラのうち、前記ブラケットのエンド部位が挿入される側の端部とは反対側の端部である自由端部に向かう方向のことである。エンド部位の延在方向は、通常、塗布ロールの回転軸心を規定する。このように本発明によれば、ブラケットから塗布ロールを切り離すのに、塗布ロールを手で握る必要がなくなる。上記提案の発明により、塗布ロールを簡単に且つ便利に交換することができる。
【００１２】
本発明の一実施形態では、前記エンド部位に、スナップエレメントが設けられる。前記塗布ロールの塗布ロール筒体の第１の端部に、前記スナップエレメントに対応するカウンタースナップエレメントが設けられ得る。また、前記スナップエレメントを前記カウンタースナップエレメントの方向に動かすとこれらスナップエレメントおよびカウンタースナップエレメントを押し離す弾性力を生成する、ばね手段が設けられる。また、前記スナップエレメントを弾性力に抗して前記カウンタースナップエレメントの方向に押圧するとそのスナップエレメントが当該カウンタースナップエレメントと係合し、前記スナップエレメントを弾性力に抗して前記カウンタースナップエレメントの方向に引き続き押圧するとそのスナップエレメントが当該カウンタースナップエレメントから離脱して前記塗布ロールを前記ブラケットから切り離すことが可能となるように、前記ばね手段、前記スナップエレメントおよび前記カウンタースナップエレメントが協働する。
【００１３】
本発明の有利な一実施形態では、前記スナップエレメントが、前記ブラケット上において、そのスナップエレメントの軸方向移動を制限する第１および第２のストッパ間で回転可能に支持される。
【００１４】
本発明の有利な他の実施形態では、前記ばね手段によって前記スナップエレメントおよび前記カウンタースナップエレメントに加えられる弾性力が、そのスナップエレメントを当該カウンタースナップエレメントに対する係合位置に保持する。しかし、その係合位置から前記スナップエレメントを前記カウンタースナップエレメントの方向に押圧すると係合が外れるので、そのスナップエレメントを当該カウンタースナップエレメントから軸方向に引き離すことができる。
【００１５】
前記スナップエレメントおよび前記カウンタースナップエレメントは、これらスナップエレメントおよびカウンタースナップエレメントが係合状態では互いに対して回転できないように形成され得る。これを実現するには、前記スナップエレメントの外周に径方向のタング（舌部）を設けて、かつ、前記カウンタースナップエレメントに当該径方向のタング（舌部）に対応する溝を設ければよい。これは、その係合状態において、前記塗布ロールの回転が前記スナップエレメントに伝達されること、すなわち、前記スナップエレメントが前記ブラケットのエンド部位および当該エンド部位に固定保持されたスリーブに対して回転することを意味する。
【００１６】
有利なさらなる他の実施形態において、前記スリーブには、その表面に複数の凹所が設けられており、前記スナップエレメントには、そのスナップエレメントが前記スリーブの周りで回転すると前記凹所に係合及び離脱する弾性タング(elastic tongue)が設けられている。このように弾性タング体と凹所とが相互作用することにより、前記塗布ロールが前記ブラケットのエンド部位の周りを回転する際にこの回転に抗する摩擦がもたらされる。前記スリーブに設けられた前記凹所とこれに係合及び離脱する前記弾性タング体とが協働することにより、塗布ロールの回転が間欠的に阻害されるようになる。前記ブラケットに対する前記塗布ロールの自由回転に抗する摩擦は、当該塗布ロールによって囲まれた空間内への塗料の浸入に対して密封する密封部材（sealing）によってもたらすことも可能である。具体的に述べると、このような密封部材は、前記ブラケットのエンド部位と前記スナップエレメントおよび／または前記カウンタースナップエレメントとの間、および／または前記スナップエレメントと前記カウンタースナップエレメントとの間に設けられ得る。
【００１７】
前記ブラケットに対する前記塗布ロール筒体の自由回転をそのような回転に抗する摩擦力をもたらす装置によって阻害する、上記の実施形態は、それ単独でも一発明と見なすことができ、従来のペイントローラと組み合わせて使用することが可能である。この思想の好ましい一実施形態では、その摩擦力等が、回転角度に依存して変化する。
【００１８】
前記カウンタースナップエレメントは、前記塗布ロール筒体の第１の端部内に挿入される第１のエンドピースの一部であってもよい。
【００１９】
前記第１のストッパは、前記ブラケットに径方向突起として形成され得る。具体的に述べると、前記ブラケットから径方向に延びる２つの互いに反対側の径方向突起が形成され得る。前記第２のストッパは、前記ブラケットに固定されるスリーブで作製され得る。このようなスリーブは、プラスチック材で作製され得る。このようなスリーブは、前記ブラケット上に摩擦係合で保持され得る。
【００２０】
有利なさらなる他の実施形態では、前記ばね手段が、前記ブラケットで支持される。具体的に述べると、前記ばね手段は、前記スナップエレメントで保持され得る。本提案の実施形態では、プッシュ−プッシュ機構のほとんどの部品が、ブラケットで保持される。結果として、作業部位を形成する塗布ロールを、簡単に且つ低コストで製造することが可能になる。
【００２１】
本発明のさらなる他の実施形態では、前記プッシュ−プッシュ機構が、代案の構造を有
してもよい。代案のプッシュ−プッシュ機構では、前記エンド部位に、第１のカム筒と第２のカム筒とを含むスナップ構造体が設けられ、これら第１のカム筒および第２のカム筒は前記ブラケットに回転可能に支持され、前記第１のカム筒は、その第１の端面に、複数の第１のカムを有しており、前記第１のカム筒は、当該第１のカム筒の軸方向移動を制限する２つのストッパ間で前記ブラケットに支持され、前記第２のカム筒は、前記第１のカム筒に回転可能に係合し、前記第２のカム筒は、第２の端面に、前記第１のカムと係合可能な複数の第２のカムを有しており、これら第２のカムは、係止位置および非係止位置において、前記第１のカムに対して回転可能であり、前記非係止位置では、それらカム間に、前記塗布ロール筒体の内面に設けられた軸方向に延びるタング（舌部）に対応する軸方向溝が形成されることにより、当該非係止位置において、前記スナップ構造体を前記塗布ロール筒体内に挿入することが可能となり、前記塗布ロール筒体に、第３のストッパが設けられ、前記スナップ構造体を前記第３のストッパに動かし当てると前記第２のカムを前記第１のカムに押し付ける弾性力を生成する、ばね手段が設けられている。
【００２２】
このような別のプッシュ−プッシュ機構は、前記ブラケットのエンド部位に保持される前記スナップ構造体が、係止状態と非係止状態の２つの異なる状態を取れるように実現されている。非係止状態では、前記スナップ構造体を保持したブラケットを、前記塗布ロール筒体内へと挿入する又は前記塗布ロール筒体から引き離すことができる。このスナップ構造体は、前記第３のストッパに押し付けられることで非係止状態から係止状態に切り替わる。係止状態では、このスナップ構造体が、前記塗布ロール筒体内の前記タング（舌部）によって保持されている。このスナップ構造体に圧力を加えると、前記第１のカム筒に設けられた溝セクションと前記第２のカム筒に設けられた溝セクションとが整列することで当該スナップ構造体を前記塗布ロール筒体から前記タング（舌部）に沿って引き離すことが可能な非係止位置に切り替わる。
【００２３】
一実施形態では、前記第２のカム筒が前記ばねによって前記第１のカム筒に押し付けられると共にその第２のカム筒が前記タング（舌部）との係合から外れた際に当該第２のカム筒が前記係止位置へと回転するように、前記第１のカムが第１の傾斜面を有し且つ前記第２のカムが対応する第２の傾斜面を有している。この構成によれば、前記スナップ構造体を前記塗布ロール筒体内に押し込むことにより、前記係止状態への切替えが自動的に起こる。
【００２４】
他の実施形態では、前記内面、前記タング（舌部）および前記第３のストッパが、前記塗布ロール筒体の第１の端部内に挿入される第３のエンドピースの一部である。
【００２５】
第２のエンドピースが、前記塗布ロール筒体の第２の端部内に挿入され得る。この第２のエンドピースは、前記ブラケットのエンド部位を回転可能に保持する別の凹部を有し得る。この別の凹部は、前記塗布ロール筒体と同軸の貫通孔として実現されてもよい。有利な一実施形態では、前記第２のエンドピースに、その貫通孔を閉塞又は密封するエンドキャップが設けられる。
【００２６】
前記第１または第３のエンドピースと前記第２のエンドピースとは、同じに構成されていてよい。これらは、プラスチック材から射出成形法で作製され得る。
【００２７】
本発明のさらなる他の実施形態では、プッシュ−プッシュ機構のさらなる代案を提案する。この代案のプッシュ−プッシュ機構は、前記エンド部位に設けられる別のスナップエレメントと、当該別のスナップエレメントと係合する別のカウンタースナップエレメントから構成され、前記ブラケットを前記押圧方向に押圧するとその別のスナップエレメントが前記別のカウンタースナップエレメントに対して第１の軸方向位置から第２の軸方向位置へと又は第２の軸方向位置から第１の軸方向位置へと軸方向移動される。この代替的なプッシュ−プッシュ機構は、さらに、クランピング装置を含み、このクランピング装置は、自身の位置に依存して半径が変化するように当該別のスナップエレメントによって作動されるクランピングエレメントを有する。本提案の実施形態では、プッシュ−プッシュ機構に関する全ての構成要素が、ブラケットに設けられる。結果として、塗布ロールを、塗料を保持するように構成された素材を外面に有する塗布ロール筒体のみを含む単純なものとして実現することができる。このようなプッシュ−プッシュ機構により、自身の半径を変化させるクランピングエレメントが作動される。このようにして、そのクランピングエレメントは、当該クランピングエレメントを取り囲む塗布ロール筒体をクランプする状態又はそのクランピングエレメントを塗布ロール筒体から後退させることが可能なほどに半径を変化させた状態に設定することができる。
【００２８】
一実施形態において、前記別のスナップエレメントは、前記エンド部位上において回転可能に保持される。この別のスナップエレメントは、その軸方向移動が制限されるようにして保持される。すなわち、この別のスナップエレメントは、回転可能ではあるが軸方向に離脱しないように保持される。この別のスナップエレメントと前記別のカウンタースナップエレメントとが係合すると、その別のカウンタースナップエレメントも前記ブラケットのエンド部位に対して回転可能に保持される。
【００２９】
前記別のカウンタースナップエレメントは、エンドキャップを有すると有利である。このエンドキャップと前記スナップエレメントの自由端部に設けられる作動エレメントとの間に、圧縮ばねが設けられ得る。一般的に、前記別のスナップエレメントは、前記ブラケットのエンド部位に沿って延びる筒形状を有する。前記別のカウンタースナップエレメントは、前記別のスナップエレメントを取り囲むように実現された別の筒形状を有する。作動エレメントは、前記別のカウンタースナップエレメントと連結されるエンドキャップの近傍に設けられる。この作動エレメントは、前記プッシュ−プッシュ機構により、そのエンドキャップに対して第１の軸方向位置から第２の軸方向位置へと又は第２の軸方向位置から第１の軸方向位置へと軸方向移動させることができる。このように作動エレメントの位置を変化させることにより、前記クランピング装置を、クランピング状態から解放状態へと又は解放状態からクランピング状態へと設定されるように作動することができる。
【００３０】
一実施形態において、前記クランピングエレメントは、前記エンドキャップから延設されて前記作動エレメントを取り囲む可撓性のホースである。この場合の前記作動エレメントは、当該作動エレメントの位置に依存して前記ホースの半径が変化する円錐形状を有するものとされる。ここで「円錐形状」という用語から、前記作動エレメントの外径が、前記エンドキャップの方向に向かって減少すると一般的に理解できる。前記作動エレメントは、その一部のみが円錐形状を有するように形成されてもよい。
【００３１】
好ましくは、前記クランピングエレメントの、前記作動エレメントの前記第１の位置に対応した第１の外半径が、塗布ロール筒体の内半径よりも小さく、前記クランピングエレメントの、前記作動エレメントの前記第２の位置に対応した第２の外半径が、前記塗布ロール筒体の前記内半径よりも大きい。前記第２の外半径は、クランピング状態において、径方向に圧迫された前記ホースによって前記塗布ロール筒体が保持されるように選択される。
【００３２】
次に、本発明を、添付の図面を参照しながら具体例によって説明する。
【図面の簡単な説明】
【００３３】
【図１】第１の実施形態の分解斜視図である。
【図２】図１に示す第１のスナップエレメントおよび第１のスリーブの拡大斜視図である。
【図３】図１に示すエンドピースの拡大斜視図である。
【図４】図１に示すエンドピースの側面図である。
【図５】図４の断面線Ａ−Ａに沿った断面図である。
【図６】図４に示すエンドピースの第１の斜視図である。
【図７】図４に示すエンドピースの第２の斜視図である。
【図８】第２の実施形態の分解斜視図である。
【図９】第２のスナップエレメントの拡大斜視図である。
【図１０】第２のカウンタースナップエレメントの拡大斜視図である。
【図１１】第２のスナップエレメントを保持したブラケットの斜視図である。
【図１２】図１１の拡大斜視図である。
【図１３】第２の実施形態の非係止状態での側面図である。
【図１４】第２の実施形態の係止状態での側面図である。
【図１５】第３の実施形態の分解斜視図である。
【図１６】図１５に示す第３のスナップエレメントおよび第２のスリーブの拡大斜視図である。
【図１７】図１５に示す第３のカウンタースナップエレメントの拡大斜視図である。
【図１８】第３の実施形態におけるペイントローラの断面図である。
【図１９】第４の実施形態の分解斜視図である。
【図２０】第４のスナップエレメントおよび第３のスリーブの拡大斜視図である。
【図２１】第４のカウンタースナップエレメントの拡大斜視図である。
【図２２】図２１に示す第４のカウンタースナップエレメントの他の拡大斜視図である。
【図２３】第４のカウンタースナップエレメントのさらなる他の斜視図である。
【図２４】第４のカウンタースナップエレメントのさらなる他の斜視図である。
【図２５】第４のカウンタースナップエレメントの平面図である。
【図２６】図２５の断面線Ｂ−Ｂに沿った断面図である。
【図２７】第５の実施形態の分解斜視図である。
【図２８】スナップ構造体の拡大斜視図である。
【図２９】第３のエンドピースの斜視図である。
【図３０】第５の実施形態におけるペイントローラの塗布ロールの断面図である。
【図３１】第６の実施形態の分解斜視図である。
【図３２】第６の実施形態においてクランピングエレメントが第１の位置にある様子を示す断面図である。
【図３３】図３２においてクランピングエレメントが第２の位置にある様子を示す断面図である。
【図３４】第６の実施形態の部分側面図である。
【発明を実施するための形態】
【００３４】
図１〜図７に、ペイントローラの第１の実施形態を示す。このペイントローラは、ブラケット１を備える。ブラケット１には、従来のハンドルが一方の端部Ｅ１に設けられ得る（図示せず）。このハンドルは、プラスチックで作製され得る。他方の端部Ｅ２は、真直なエンド部位２の一部である。好ましくは、ブラケット１は、金属棒で製作されている。
【００３５】
符号３は、第１の塗布ロール筒体を指す。第１の塗布ロール筒体３には、その外周に、塗料を保持するように構成された素材が設けられ得る（図示せず）。第１の塗布ロール筒体３は、以下で詳述する第１のプッシュ−プッシュ機構によってブラケット１との接続及び切離しが可能である。
【００３６】
第１の塗布ロール筒体３の第１の端部Ｅ３内に、第１のエンドピース４が挿入される。第１の塗布ロール筒体３の第２の端部Ｅ４内に、第２のエンドピース５が挿入される。第１のエンドピース４および第２のエンドピース５は、例えば摩擦係合、接着、溶接等によって第１の塗布ロール筒体に固定される。
【００３７】
ブラケット１のエンド部位２には、第１のストッパ６が設けられている。第１のストッパ６は、エンド部位２を変形させてなる２つの径方向突起によって構成される。
【００３８】
符号７は、エンド部位２において回転可能に支持される第１のスナップエレメントを指す。第１のスナップエレメント７は、第１の貫通孔Ｈ１を中央に有している。この第１の貫通孔Ｈ１に、エンド部位２が導き通される。第１のスナップエレメント７は、その外周に２つの弾性スナップタング(elastic snap-tongue)８を有している。弾性スナップタング部８のそれぞれは、径方向のスナップ突起９を有している。スナップ突起９のそれぞれは、傾斜エッジ９ａを有している。エッジ９ａの傾斜は、第１のスナップエレメント７の外径方向から内径方向に向かって上昇している。弾性スナップタング部８は、スナップ突起９が第１のスナップエレメント７に対して周方向に撓み可能におよび第１のスナップエレメント７の内径方向に撓み可能に実現されている。
【００３９】
スナップエレメント７には、スナップ突起９とおおよそ対向するようにして、支持面９ｃから外径方向に延びる傾斜面９ｂが設けられている。傾斜面９ｂの傾斜は、一方の側が支持面９ｃによって制限された開口に向かって延びる。
【００４０】
符号１０は、第１のスナップエレメント７の第１の円筒セクションＣ１内へと径方向内側に突出する弾性タング体を指す。第１の円筒セクションＣ１には、第１のスリーブ１２の挿入を可能にするウインドウ１１が設けられている。第１のスリーブ１２には、弾性タング体１０に対応する凹所１２ａが設けられている。第２の円筒セクションＣ２の内径は、第１の円筒セクションＣ１の内径よりも小さい。第２の円筒セクションＣ２の内径は、第１のスナップエレメント７をエンド部位２上において回転可能に保持できるように、そのエンド部位２の外径よりも僅かに大きい。
【００４１】
第１のスナップエレメント７は、さらに、第３の円筒セクションＣ３を有している。第３の円筒セクションＣ３の内径は、圧縮ばね１３を摩擦力によって内側に保持できるように選択される。第１の円筒セクションＣ１と第３の円筒セクションＣ３とは第１のフランジ１４によって隔てられており、この第１のフランジ１４に、第１のばね端部Ｅ５が当接する。第２のばね端部Ｅ６は、第１のエンドピース４内に設けられた別のフランジ（図示せず）に当接する。
【００４２】
第３の円筒セクションＣ３には、第１の径方向タング１５が２つ設けられている。第２の円筒セクションＣ２には、第１の径方向タング１５と軸方向に揃う第２の径方向タング１６が設けられている。
【００４３】
第１のエンドピース４と第２のエンドピース５とは、互いに同一に形成されている。エンドピース４，５は、第１のカウンタースナップエレメント１７を有している。第１のカウンタースナップエレメント１７は、第１の径方向タング１５を案内する案内溝１８を有している。さらに、第１の径方向タング１５を案内溝１８へと案内する傾斜案内レール１９が設けられている。第１のカウンタースナップエレメント１７は、さらに、スナップ開口２２を含むスナップセクション２０を有している。弾性スナップタング部８の径方向スナップ突起９が、第１のスナップエレメント７が第１のカウンタースナップエレメント１７内に挿入された際にこのスナップ開口２２に係合する。
【００４４】
エンドピース４，５のインナー側端部には、ブラケット１の他方の端部Ｅ２を挿入し易くする漏斗状の開口２１が設けられている。第１の塗布ロール筒体３内への塗料の浸入を防止するために、エンドピース４，５に設けられた第２の貫通孔Ｈ２が、エンドキャップ２３によって密封され得る。
【００４５】
エンドキャップ２３には、熱可塑性ゴム、シリコン、低密度ＰＥ等で作製されたシール部材が配設されてもよい（図示せず）。同様のシール部材が、スナップエレメント７の第２の円筒セクションＣ２の自由端部から延びる第１のエンドフランジ１６ａの内側に配設されてもよい。本提案のシール部材は、塗料が第１の塗布ロール筒体３内に浸入するのを阻止する。
【００４６】
図４〜図６には、エンドピース４，５が詳細に描かれている。エンドピース４，５は、略円筒形状の第１のカウンタースナップエレメント１７を有している。第１のカウンタースナップエレメント１７のアウター側端部Ｅ７には、第２のフランジ２４が設けられている。この第２のフランジ２４の外径は、円筒状の第１の塗布ロール筒体３の外端外径（further outer diameter）と実質的に同一とされている。第１のカウンタースナップエレメント１７からは、第２のフランジ２４を支持する径方向壁２５が延びている。２つの互いに反対側の径方向壁２５間の径方向距離は、エンドピース４，５を摩擦力によって第１の塗布ロール筒体３内に保持できるように選択されている。
【００４７】
第１のカウンタースナップエレメント１７のインナー側端部Ｅ８には、第１のスナップエレメント７が第１のカウンタースナップエレメント１７に係止した際に圧縮ばね１３が当接する、第３のストッパ２６が設けられている。図示の例において、第３のストッパ２６は、漏斗状のテーパの形態で実現されている。
【００４８】
特に図６及び図７から分かるように、第１のカウンタースナップエレメント１７の内壁には、案内溝１８に導く傾斜案内レール１９が設けられている。
【００４９】
第１のカウンタースナップエレメント１７の開いた端部Ｅ７の近傍には、２つのスナップセクション２０が設けられている。これらのスナップセクション２０は、互いに反対側に位置している。スナップセクション２０のそれぞれは、スナップ開口２２に導くさらなる傾斜案内レール２７を含む。さらなる傾斜案内レール２７は、傾斜案内溝として実現されてもよい。
【００５０】
以下に、第１の実施形態におけるペイントローラの機能を説明する。
【００５１】
第１のスナップエレメント７は、第１のストッパ６に当接する。第２のストッパは、第１のスナップエレメント７の第１の円筒セクションＣ１内に形成されたポケットに挿設されるスリーブ１２によって形成される。第１のスナップエレメント７は、第１のストッパ６とスリーブ１２との間で回転可能に保持される。
【００５２】
弾性タング体１０とエンド部位２に固定保持されたスリーブ１２の凹所１２ａとが協働することにより、その弾性タング体１０の作用によってもたらされる摩擦力を上回る場合にのみ、第１のスナップエレメント７は回転することができる。図示の実施形態では、弾性タング体１０が凹所１２ａに係合及び離脱することから、その摩擦力が変化する。圧縮ばね１３は、その第１のばね端部Ｅ５が第１のスナップエレメント７の第３の円筒セクションＣ３内に保持される。
【００５３】
第１のスナップエレメント７を回転可能に支持したブラケット１をロックするには、エンド部位２の他方の端部Ｅ２を、第１のエンドピース４に挿入した後、漏斗状の開口２１を介して第２のエンドピース５に挿入する。第１のスナップエレメント７を、第１のエンドピース４に設けられた第１のカウンタースナップエレメント１７に挿入する際には、第１の径方向タング１５が傾斜案内レール１９に沿って案内溝１８へと案内される。これにより、第１のスナップエレメント７は、第１のカウンタースナップエレメント１７に対して回転できないようになる。
【００５４】
第１のスナップエレメント７を第１のカウンタースナップエレメント１７に対してさらに挿入させると、弾性スナップタング部８が、第１の周方向に撓み変形しながら径方向のスナップ突起９を前記さらなる傾斜案内レール２７上で摺動させた後、スナップセクション２０のスナップ開口２２に係合する。
【００５５】
係合状態では、圧縮ばね１３が、その第１のばね端部Ｅ５でフランジ１４に当接していると共に、カウンタースナップエレメント１７内に設けられた第３のストッパ２６にも当接している。この圧縮ばね１３により、第１のスナップエレメント７を第１のカウンタースナップエレメント１７から軸方向に押し離す力が加わる。これにより、第１のスナップエレメント７を、第１のカウンタースナップエレメント１７に対する係止位置に保持することができる。
【００５６】
ブラケット１を第１の塗布ロール筒体３から切り離すには、ブラケット１を用いて、第１のスナップエレメント７を、圧縮ばね１３の力に抗して第１のカウンタースナップエレメント１７の方向に押圧する。すると、径方向のスナップ突起９は、その傾斜エッジ９ａがスナップ開口２２の下端エッジで摺動することから、径方向内側に曲げられる。これと同時に、弾性スナップタング部８のそれぞれが、前記第１の周方向とは逆の第２の周方向に曲げられながら傾斜面９ｂ上を摺動した後、支持面９ｃに当接する。傾斜面９ｂは、弾性スナップタング部８に軸方向の圧力を加えた際に径方向の突起９が前記さらなる傾斜案内レール２７に戻らないように形成されている。最後に、弾性スナップタング部８は、スナップ開口２２から離脱すると、カウンタースナップエレメント１７の内壁に当接するように変形して戻る。第１のスナップエレメント７は、圧縮ばね１３の作用により、第１のカウンタースナップエレメント１７から強制的に離される。アウター側端部Ｅ７の近傍で、径方向のスナップ突起９が、前記さらなる傾斜案内レール２７に再び入る。このようにして第１のスナップエレメント７が切り離されて、ブラケット１のエンド部位２を第１のエンドピース４から引き出すことが可能になる。
【００５７】
第１のスナップエレメント７は、カウンタースナップエレメント１７に係止すると、その第１のカウンタースナップエレメント１７に対して回転できないようになる。すなわち、第１の塗布ロール筒体３が回転すると、それと同時に第１のスナップエレメント７も回転することになる。ただし、弾性タング体１０とスリーブ１２及びスリーブ１２に設けられた凹所１２ａとが協働することにより、第１の塗布ロール筒体３の回転を阻害する摩擦力が発生する。これにより、第１の塗布ロール筒体３に塗料を均一に付着させ易くなる。
【００５８】
後述の実施形態の説明において、第１の実施形態を参照しながら既述した構成要素と同様又は同一の構成要素については、同一の符号を使用する。
【００５９】
図８〜図１４に、本発明の第２の実施形態を示す。第２の実施形態における第２のプッシュ−プッシュ機構は、第１の実施形態を参照しながら説明した第１のプッシュ−プッシュ機構と類似している。第２のスナップエレメント２８は、その一方の端部に、中央貫通孔３０が設けられた第２のエンドフランジ２９を有している。中央貫通孔３０の内径は、ブラケット１のエンド部位２の外径よりも僅かに大きい。第２のスナップエレメント２８のインナー側端部から、可撓性のバー又はロッド３１が実質的に軸方向に延びており、可撓性のバー又はロッド３１は、径方向に僅かに曲がっている。第２のカウンタースナップエレメント３２は、軸方向に延びるバー３３を含む。バー３３は、エンドプレート３４と連結する。エンドプレート３４は、中央にさらなる貫通孔３５を有している。このさらなる貫通孔３５に、第３のエンドピース３６を挿入することができる。
【００６０】
第１の実施形態と同じく、ブラケット１のエンド部位２には、第１のストッパ６が設けられている。第１のストッパ６は、エンド部位２を変形させてなる２つの径方向突起によって構成される。これに加えて、エンド部位２には、第１のストッパ６と同一に形成された第４のストッパ３７が設けられている。
【００６１】
以下に、第２の実施形態におけるペイントローラの機能を説明する。
【００６２】
第２のプッシュ−プッシュ機構の機能は、第１の実施形態における第１のプッシュ−プッシュ機構の機能とおおよそ同一である。
【００６３】
しかし、第２の実施形態は、さらなる機能的特徴を幾つか備えており、図１３及び図１４を参照しながら説明する。
【００６４】
図１３から分かるように、第２のスナップエレメント２８は、第１のストッパ６と第４のストッパ３７との間で回転可能に保持される。中央貫通孔３０の内径は、互いに反対側の前記径方向突起間の距離よりも小さい。
【００６５】
第２のスナップエレメント２８を第２のカウンタースナップエレメント３２に挿入すると、ロッド３１が、エンドプレート３４に設けられたロッド貫通孔（詳細に図示せず）に挿通される。ロッド３１の長さは、第２のスナップエレメント２８が第２のカウンタースナップエレメント３２に係止した際に、そのロッド３１が径方向外側に若干曲がるように選択される。これと同時に、そのロッド３１は、さらなるスナップ機構（詳細に図示せず）によって第３のエンドピース３６に係止する。このような若干曲がるロッド３１により、第２のスナップエレメント２８が第２のカウンタースナップエレメント３２に係止してなる構造体を第２の塗布ロール筒体３８に挿入させる際に弾性力を付与することができる。第２の塗布ロール筒体３８の内径は、エンドプレート３４及び第３のエンドピース３６の外径よりも僅かに大きく選択される。
【００６６】
図１５〜図１８に、本発明の第３の実施形態を示す。ブラケット１のエンド部位２には、第３のスナップエレメント３９が、第１のストッパ６と第２のストッパとの間で回転可能に保持される。ここでも、第１のストッパ６は、エンド部位２を変形させてなる２つの径方向突起によって構成される。第２のストッパは、摩擦力によってエンド部位２に保持される第２のスリーブ４０によって形成される。
【００６７】
第３のカウンタースナップエレメント４３は、第１の実施形態に関連して説明した第１のカウンタースナップエレメント１７と同様に形成されている。第３のカウンタースナップエレメント４３は、第３の塗布ロール筒体４４に挿入される。そして、第３のカウンタースナップエレメント４３は、摩擦力によってその第３の塗布ロール筒体４４内に保持される。第３のカウンタースナップエレメント４３は、接着、溶接等によって第３の塗布ロール筒体４４内に固定されるものであってもよい。第３のカウンタースナップエレメント４３は、第１のカウンタースナップエレメントと同様に、２つの互いに反対側に位置したスナップセクション２０を有している。その一方で、第３のスナップエレメント３９には、単一の弾性スナップタング部８しか設けられていない。
【００６８】
第３のプッシュ−プッシュ機構は、第１の実施形態に関連して説明した第１のプッシュ−プッシュ機構と類似している。第１の実施形態における第１のプッシュ−プッシュ機構についての説明を参照されたい。
【００６９】
ストッパが径方向突起の形態で実現されている場合、これら径方向突起とスナップエレメントとの間に、ワッシャが設けられてもよい。第１のストッパは、プラスチックで作製されたスリーブで構成され得る。
【００７０】
図１９〜図２６に、本発明の第４の実施形態を示す。第４の実施形態における第４のプッシュ−プッシュ機構は、第１〜第３の実施形態におけるプッシュ−プッシュ機構と異なる。
【００７１】
第４のスナップエレメント４５は、ブラケット１の真直なエンド部位２において、第１のストッパ６と第３のスリーブ４６との間で回転可能に保持される。ブラケット１には、ハンドル４７がその端部Ｅ１に設けられる。
【００７２】
第４のスナップエレメント４５は、略円筒形状である。第４のスナップエレメント４５は、その遠位側端部Ｅ９に、少なくとも１つの径方向に延びるスナップ突起４８、好ましくは互いに反対側に位置した、径方向に延びる２つのスナップ突起４８を有している。スナップ突起４８のそれぞれは、ダイヤモンドの形状をしており、その鋭角は軸方向に揃っている。
【００７３】
符号４９は、ばね支持エレメントを指す。ばね支持エレメント４９は、ばね支持セクション５０ａおよびさらなるスナップ突起５０ｂを有している。ばね支持エレメント４９は、第４のスナップエレメント４５内へと前記遠位側端部Ｅ９で挿入される。ばね支持エレメント４９は、前記遠位側端部Ｅ９で前記さらなるスナップ突起５０によって回転可能に保持される。
【００７４】
符号５１は、第４のカウンタースナップエレメントを指す。第４のカウンタースナップエレメント５１の内面には、カムスリット５２に導く傾斜案内レール１９（図２３を参照）が設けられている。カムスリット５２は、入口開口５３および第１のエンドセクション５４を有している。第１のエンドセクション５４に対向するようにして、第１の傾斜案内セクション５５が設けられている。第１の傾斜案内セクション５５の端点に対して軸方向に対向するようにして、第２の傾斜案内セクション５６が設けられている。第２の傾斜案内セクション５６は、第２のエンドセクション５７に導く。第２のエンドセクション５７に対して軸方向に対向するようにして、第３の傾斜案内セクション５８が設けられている。第３の傾斜案内セクション５８は、出口開口５９に導く。第１のエンドセクション５４および第２のエンドセクション５７は、「Ｖ」の形状をしている。
【００７５】
この第４のカウンタースナップエレメント５１は、別の塗布ロール筒体に挿入されて、その塗布ロール筒体に固定される。
【００７６】
以下に、この別のプッシュ−プッシュ機構の機能を説明する。  
【００７７】
圧縮ばね１３が、ばね支持エレメント４９によって第３のスナップエレメント４５に対して回転可能に保持される。これにより、第４のスナップエレメント４５は、第４のカウンタースナップエレメント５１に対して常に回転可能となる。
【００７８】
第４のスナップエレメント４５が第４のカウンタースナップエレメント５１内に入ると、スナップ突起４８が、傾斜案内レール１９に沿って案内されてカムスリット５２の開口５３へと進入する。第４のスナップエレメント４５を、第４のカウンタースナップエレメント５１の第３のストッパ２６に当接する圧縮ばね１３の力に抗してさらに押圧すると、スナップ突起４８が、第１のエンドセクション５４へと案内される。これと同時に、第４のスナップエレメント４５が、入口開口５３から遠ざかるように周方向に回転される。第１のエンドセクション５４に到達すると、第４のスナップエレメント４５を軸方向にそれ以上押圧することはできない。そして加圧がなくなると、スナップ突起４８は第１の傾斜案内セクション５５に接触した状態になる。スナップ突起４８は、第１の傾斜案内セクション５５に沿って、当該第１の傾斜案内セクション５５のうちの「Ｖ」の形状をした端点へと案内される。これにより、第４のスナップエレメント４５は、再び第４のカウンタースナップエレメント５１に対して周方向に回転される。このようにして、上記の別のプッシュ−プッシュ機構がロックされる。
【００７９】
再び第４のスナップエレメント４５に圧力を加えると、スナップ突起４８は、第２の傾斜セクション５６に沿って第２のエンドセクション５７へと案内される。加圧がなくなると、スナップ突起４８は第３の傾斜セクション５８に接触した状態になる。これにより、第４のスナップエレメント４５が再び周方向に回転されることで、スナップ突起４８が出口開口５９と軸方向に整合し、第４のスナップエレメント４５を第４のカウンタースナップエレメント５１から引っ込めることが可能となる。
【００８０】
図２７〜図３０に、本発明の第５の実施形態を示す。本実施形態では、塗布ロールが第５のプッシュ−プッシュ機構を備える。この第５のプッシュ−プッシュ機構では、既述したプッシュ−プッシュ機構のスナップエレメントが「スナップ構造体」として実現されている。
【００８１】
図２７、図２８及び図３０から分かるように、スナップ構造体は、第１のカム筒６０を含む。第１のカム筒６０は、ブラケット１のエンド部位２において、第１のストッパ６と第４のスリーブ６１との間で回転可能に保持される。この第４のスリーブ６１は、例えば摩擦力等によってエンド部位２に固定される。図３０から分かるように、第１のストッパ６は、ストッパスリーブ６１ａを備え得る。このストッパスリーブ６１ａは、エンド部位２に設けられた径方向突起をカバーする。
【００８２】
第２のカム筒６２は、当該第２のカム筒６２の外周から延びる第３のフランジ６３が第１のカム筒６０の内面に設けられた周方向溝６４に係合することにより、第１のカム筒６０で回転可能に保持される。第３のフランジ６３と周方向溝６４との係合は、第２のカム筒６２が軸方向に所定の距離内で移動することを可能にする係合とされる。
【００８３】
符号６５は、第３のエンドピースを指す。第３のエンドピース６５は、第１の塗布ロール筒体３に挿入されて固定される。符号１３は、圧縮ばねを指す。圧縮ばね１３は、第２のカム筒６２に当接し、前記スナップ構造体が塗布ロール筒体３に係止した状態では、第３のエンドピース６５に設けられた第３のストッパ２６に当接する。
【００８４】
図２８には、スナップ構造体の詳細が描かれている。第１のカム筒６０は、その第１の端面に、互いに同一に形成された複数の第１のカム６６を有している。第１のカム６６間のそれぞれには、第１の溝セクション６７が設けられている。第１のカム６６のそれぞれは、第１の傾斜面６８を有している。
【００８５】
第２のカム筒６２は、その第２の端面に、第２のカム６９を有している。第２のカム６９は、第１の傾斜面６８に対応する第２の傾斜面７０を有している。第２のカム６９には、さらに、第２の傾斜面７０とは反対側に、第３の傾斜面７１が設けられている。２つの第２のカム６９間には、第２の溝セクション７２が設けられている。
【００８６】
図２８には、第１のカム筒６０および第２のカム筒６２を含むスナップ構造体であって、第２の溝セクション７２が第１の溝セクション６７と整列している、非係止状態のスナップ構造体が描かれている。
【００８７】
図２９には、第３のエンドピース６５が詳細に描かれている。第３のエンドピース６５の円筒状の内面７３には、軸方向に延びるタング７４が設けられている。タング７４は、第３のエンドピース６５の開口に向いたその開口側端部に第１の傾斜案内面７５を有し、ストッパ側に第２の傾斜案内面７６を有している。なお、タング７４は、前記内面７３において所定の距離に沿って延びているが、その所定の距離は、前記内面７３を形成する円筒セクションの軸方向長さよりも短い。図２９では隠れているが、前記内面７３には４つのタング７４が、隣合うタング７４に対してそれぞれ９０°ずれて設けられている。第１のカム６６及び第２のカム６９の外径は、前記内面７３の内径よりも僅かに小さい。
【００８８】
以下に、第５の実施形態における第５のプッシュ−プッシュ機構の機能を説明する。
【００８９】
前記スナップ構造体を第３のエンドピース６５内に挿入すると、第２のカム６９の第３の傾斜面７１が、タング７４の第１の傾斜案内面７５に接触する。これにより第２のカム筒６２が回転されて、第２の溝セクション７２がタング７４と係合するように案内され、次いで第１の溝セクション６７もタング７４と係合するように案内される。具体的に述べると、第１の溝セクション６７は、タング７４が第１の傾斜面６８又は第１のカム６６に設けられたさらなる第１の傾斜面６８ａに沿って摺動することにより、そのタング７４と係合するように案内される。第２のばね端部Ｅ６が、第３のストッパ２６と接触する。圧縮ばね１３は、第２のカム筒６２を第１のカム筒６０に対し、これらがタング７４に沿って移動する際に押し付ける。第２の溝セクション７２がタング７４を越えると、圧縮ばね１３の付勢力により、第２のカム６９が第１のカム６６に対して第２の傾斜面７０に沿って回転される。これにより、第１の溝セクション６７と第２の溝セクション７２とが整列しなくなる。
【００９０】
加圧がなくなると、タング７４の第２の案内面７６が第２のカム６９のストッパ面７７に当接する。これにより、前記スナップ構造体が係止状態になる。
【００９１】
再び前記スナップ構造体に圧力を加えると、第２のカム筒６２がインナー側に移動することで、第２のカム６９が第２の案内面７６との係合から外れる。すると、第２のカム筒６２が、傾斜面６８，７０に沿って再び第１のカム筒６０に対して回転する。加圧がなくなると、第２の傾斜面７０が、再びタング７４の第２の案内面７６に接触する。この接触が、第２のカム筒６２のさらなる回転運動を、第１の溝セクション６７と第２の溝セクション７２とが整列するまで引き起こすので、前記スナップ構造体を第３のエンドピース６５から引っ込めることが可能になる。
【００９２】
図３１〜図３４に、本発明の第６の実施形態を示す。第６のプッシュ−プッシュ機構は、第５のスナップエレメント７８を含む。第５のスナップエレメント７８には、その一方の端部に、弾性材料で作製されたリングディスク７９が設けられる。第５のスナップエレメント７８は略円筒形状をしており、かつ、その他方の端部（又は自由端部）には、円錐形状のピストンのような作動エレメント８０が設けられる。作動エレメント８０は、径方向に延びるビード（bead）を有し得る。作動エレメント８０は、さらに、ブレークスルー部（breakthrough）８２を有している。
【００９３】
符号８３は、略円筒形状の第５のカウンタースナップエレメントを指す。特に図３４から分かるように、第５のカウンタースナップエレメント８３は、さらなるブレークスルー部８４を有している。第５のスナップエレメント７８から径方向に延びる第２の弾性スナップタング部８５が、このさらなるブレークスルー部８４を通って延出し得る。第５のカウンタースナップエレメント８３の一方の端部から、取付タング８６が延びている。組付段階では、取付タング８６が前記ブレークスルー部８２を通って第２のエンドキャップ８７内に延出する。第２のエンドキャップ８７は、前記取付タング８６によって第５のカウンタースナップエレメント８３に対して固定される。符号８８は、第２のエンドキャップ８７で固定される可撓性のホースを指す。
【００９４】
組付段階では、第５のスナップエレメント７８が、エンド部位２を越えて押し込まれる前記リングディスク７９により、そのエンド部位２において回転可能に保持される。第５のカウンタースナップエレメント８３は、第２の弾性スナップタング部８５が第２のブレークスルー部８４と係合し且つ前記取付タング８６が作動エレメント８０に設けられたさらなるブレークスルー部８２を通って延出することにより、第５のスナップエレメント７８において保持される。これにより、第５のスナップエレメント７８は、第５のカウンタースナップエレメント８３に対して回転が固定された状態で保持されることになる。特に図３２及び図３３から分かるように、第２のエンドキャップ８７と作動エレメント８０との間には、別の圧縮ばね８９が設けられる。この別の圧縮ばね８９は、第５のスナップエレメント７８を、第２のエンドキャップ８７から遠ざかる方向に押し付ける。第２のエンドキャップ８７は、前記取付タング８６によって第５のカウンタースナップエレメント８３に固定連結される。第５のスナップエレメント７８は、前記別の圧縮ばね８９の力に抗してさらなるブレークスルー部８４の軸方向長さに沿って軸方向移動可能である。これらの既述した構成要素で形成される第６のプッシュ−プッシュ機構の全体が、ブラケット１のエンド部位２に設けられる。符号９０は、第５の塗布ロール筒体を指す。
【００９５】
以下に、第６の実施形態におけるペイントローラの機能を説明する。
【００９６】
第５の塗布ロール筒体９０を固定するには、ブラケット１に設けられる第６のプッシュ−プッシュ機構を、図３２に示す第１の状態にする。この第１の状態では、作動エレメント８０が、前記別の圧縮ばね８９によって第２のエンドキャップ８７に対して遠い位置（distal position）に押しやられている。ここで、第６のプッシュ−プッシュ機構を、第５の塗布ロール筒体９０内に、第５のカウンタースナップエレメント８３から延びる第４のフランジ９１がその第５の塗布ロール筒体９０に当接するまで挿入する。第２のエンドキャップ８７に向かってエンド部位２の軸方向に圧力を加えると、第５のスナップエレメント７８が前記別の圧縮ばね８９の力に抗して第２のエンドキャップ８７の方向に軸方向移動した後、第２の弾性スナップタング部８５が前記ブレークスルー部８４とストッパ位置で係合する。このように、第２の弾性スナップタング部８５を第１の位置から第２の位置に動かし且つその第２の弾性スナップタング部８５をこれらの位置に解放可能に固定する第６のプッシュ−プッシュ機構は、第１のプッシュ−プッシュ機構と同様に実現されるが、第５のカウンタースナップエレメント８３からの第５のスナップエレメント７８の解放を可能にする案内溝が設けられていない点で異なる。
【００９７】
図３２と図３３とを対比すると分かるように、第２の位置において作動エレメント８０は、可撓性のホース８８が径方向に押し付けられて第５の塗布ロール９０をクランプする。第２のエンドキャップ８７に向かってエンド部位２の軸方向に引き続き圧力Ｐを加えると、第２の弾性スナップタング部８５が解放されて、第５のスナップエレメント７８が、前記別の圧縮ばね８９の作用によって第２のエンドキャップ８７から遠ざかる方向に押圧される。可撓性のホース８８の外半径が小さくなるので、第５の塗布ロール筒体９０を、第６のプッシュ−プッシュ機構を支持するブラケット１から離脱させることが可能になる。
【００９８】
なお、添付の図面には、ブラケットと塗布ロール筒体との接続及び切離しを可能にするプッシュ−プッシュ機構の具体的な実施形態が示されているが、これら以外の構造によってプッシュ−プッシュ機構を実現することも可能であると理解されたい。
【００９９】
なお、添付の図面には示されていないものの、カウンタースナップエレメントと塗布ロール筒体とを一体品として形成することも可能である。
【符号の説明】
【０１００】
１        ブラケット
２        エンド部位
３        第１の塗布ロール筒体
４        第１のエンドピース
５        第２のエンドピース
６        第１のストッパ
７        第１のスナップエレメント
８        弾性スナップタング部
９        径方向のスナップ突起
９ａ      傾斜エッジ
９ｂ      傾斜面
９ｃ      支持面
１０      弾性タング体
１１      ウインドウ
１２      第１のスリーブ
１２ａ    凹所
１３      圧縮ばね
１４      第１のフランジ
１５      第１の径方向タング
１６      第２の径方向タング
１６ａ    第１のエンドフランジ
１７      第１のカウンタースナップエレメント
１８      案内溝
１９      傾斜案内レール
２０      スナップセクション
２１      漏斗状の開口
２２      スナップ開口
２３      エンドキャップ
２４      第２のフランジ
２５      径方向壁
２６      第３のストッパ
２７      さらなる傾斜案内レール
２８      第２のスナップエレメント
２９      第２のエンドフランジ
３０      中央貫通孔
３１      ロッド
３２      第２のカウンタースナップエレメント
３３      バー
３４      エンドプレート
３５      中央のさらなる貫通孔
３６      第３のエンドピース
３７      第４のストッパ
３８      第２の塗布ロール筒体
３９      第３のスナップエレメント
４０      第２のスリーブ
４１      カム
４２      さらなる弾性タング体
４３      第３のカウンタースナップエレメント
４４      第３の塗布ロール筒体
４５      第４のスナップエレメント
４６      第３のスリーブ
４７      ハンドル
４８      スナップ突起
４９      ばね支持エレメント
５０ａ    ばね支持セクション
５０ｂ    さらなるスナップ突起
５１      第４のカウンタースナップエレメント
５２      カムスリット
５３      入口開口
５４      第１のエンドセクション
５５      第１の傾斜案内セクション
５６      第２の傾斜案内セクション
５７      第２のエンドセクション
５８      第３の傾斜案内セクション
５９      出口開口
６０      第１のカム筒
６１      第４のスリーブ
６１ａ    ストッパスリーブ
６２      第２のカム筒
６３      第３のフランジ
６４      周方向溝
６５      第３のエンドピース
６６      第１のカム
６７      第１の溝セクション
６８      第１の傾斜面
６８ａ    さらなる第１の傾斜面
６９      第２のカム
７０      第２の傾斜面
７１      第３の傾斜面
７２      第２の溝セクション
７３      円筒状の内面
７４      タング
７５      第１の案内面
７６      第２の案内面
７７      ストッパ面
７８      第５のスナップエレメント
７９      リングディスク
８０      作動エレメント
８１      ビード
８２      ブレークスルー部
８３      第５のカウンタースナップエレメント
８４      さらなるブレークスルー部
８５      第２の弾性スナップタング部
８６      取付タング
８７      第２のエンドキャップ
８８      可撓性のホース
８９      別のばね
９０      第５の塗布ロール筒体
９１      第４のフランジ
Ｃ１      第１の円筒セクション
Ｃ２      第２の円筒セクション
Ｃ３      第３の円筒セクション
Ｅ１      端部
Ｅ２      他方の端部
Ｅ３      第１の端部
Ｅ４      第２の端部
Ｅ５      第１のばね端部
Ｅ６      第２のばね端部
Ｅ７      アウター側端部
Ｅ８      インナー側端部
Ｅ９      遠位側端部
Ｈ１      第１の貫通孔
Ｈ２      第２の貫通孔
Ｐ        圧力
【図１】
2016513580.tif 000003
【図２】
2016513580.tif 000004
【図３】
2016513580.tif 000005
【図４】
2016513580.tif 000006
【図５】
2016513580.tif 000007
【図６】
2016513580.tif 000008
【図７】
2016513580.tif 000009
【図８】
2016513580.tif 000010
【図９】
2016513580.tif 000011
【図１０】
2016513580.tif 000012
【図１１】
2016513580.tif 000013
【図１２】
2016513580.tif 000014
【図１３】
2016513580.tif 000015
【図１４】
2016513580.tif 000016
【図１５】
2016513580.tif 000017
【図１６】
2016513580.tif 000018
【図１７】
2016513580.tif 000019
【図１８】
2016513580.tif 000020
【図１９】
2016513580.tif 000021
【図２０】
2016513580.tif 000022
【図２１】
2016513580.tif 000023
【図２２】
2016513580.tif 000024
【図２３】
2016513580.tif 000025
【図２４】
2016513580.tif 000026
【図２５】
2016513580.tif 000027
【図２６】
2016513580.tif 000028
【図２７】
2016513580.tif 000029
【図２８】
2016513580.tif 000030
【図２９】
2016513580.tif 000031
【図３０】
2016513580.tif 000032
【図３１】
2016513580.tif 000033
【図３２】
2016513580.tif 000034
【図３３】
2016513580.tif 000035
【図３４】
2016513580.tif 000036
【国際調査報告】
2016513580.tif 000037
2016513580.tif 000038